(57)【要約】【課題】放射線画像記録担体が収容されたカセッテをカセッテ装填部に装填する際、該カセッテから表示部を保護すると共に、前記カセッテを迅速且つ確実に装填して作業効率を向上させる。【解決手段】画像読取装置１０には、ケーシング１２の上部にカセッテ装填口１４が形成されると共に、前記カセッテ装填口１４の側部には第１表示部２４と、患者情報等を表示する第２表示部２６とが形成されている。そして、カセッテ装填口１４と第１及び第２表示部２４、２６との間には、画像読取装置１０の上面部２０より突出した突出部２８が形成され、前記突出部２８のカセッテ装填口１４側には略鉛直なガイド面５４が形成されている。このカセッテ装填口１４にカセッテを装填する際には、前記カセッテがガイド面５４に沿ってカセッテ装填口１４の内部に装填される。【選択図】図１
2005250281.tif 000002
【特許請求の範囲】
【請求項１】
装置本体の上面に形成され、放射線画像情報が記録された放射線画像記録担体を収容可能なカセッテが装填されるカセッテ装填部と、
前記カセッテ装填部の周辺に設けられる表示部と、
前記カセッテ装填部と前記表示部との間に設けられ、前記装置本体の上面に対して突出して形成される突出部と、
を備えることを特徴とする画像読取装置。
【請求項２】
請求項１記載の画像読取装置において、
前記表示部は、前記装置本体の上面に形成された装着孔の内部に設けられるディスプレイと、
前記ディスプレイの上方に配設される保護プレートと、
を備えることを特徴とする画像読取装置。
【請求項３】
請求項２記載の画像読取装置において、
前記表示部には、前記ディスプレイと前記保護プレートとの間に弾性部材が設けられることを特徴とする画像読取装置。
【発明の詳細な説明】
【技術分野】
【０００１】
本発明は、カセッテに保持されている蓄積性蛍光体シートに記録された放射線画像情報を読み取った後、残存する放射線画像情報を消去するように構成した画像読取装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体シートを用いた画像読取装置が知られている。
【０００３】
画像読取装置は、例えば、人体等の被写体の放射線画像情報が蓄積記録された蓄積性蛍光体シートを保持したカセッテが装填されるカセッテ装填部と、蓄積性蛍光体シートに励起光を照射して放射線画像情報を読み取る読取部と、放射線画像情報の読み取られた蓄積性蛍光体シートに消去光を照射して残存する放射線画像情報を消去する消去部とを備えて構成される。なお、残存画像の消去処理が完了した蓄積性蛍光体シートは、カセッテに保持された状態で外部に排出されることにより、再利用に供せられる。
【０００４】
このような画像読取装置として、本出願人は、特許文献１において、蓄積性蛍光体シートが収容されたカセッテが、フレームの上面に開口したカセッテセット口を介して上方から前記フレームの内部へと挿入され、該フレームの内部に設けられたストッパによって前記フレームよりカセッテが突出した状態で所定の位置にセットされる構造を提案している。
【０００５】
【特許文献１】特許第３３４５０７５号公報
【発明の開示】
【発明が解決しようとする課題】
【０００６】
ところで、一般的に、カセッテはその用途に応じて様々なサイズのものが用いられている。特許文献１に係る従来技術においては、カセッテを上方からカセッテセット口へと装填する際に、前記カセッテの幅寸法が、カセッテセット口の幅寸法と略同一の場合には、前記カセッテを所定角度傾斜させることなくカセッテセット口に対して略直交するように装填する必要がある。従って、技師等の操作者がカセッテの装填を行う際に、該カセッテをカセッテセット口へと装填する方向、角度等を考慮して慎重に装填作業を行う必要が生じると共に、前記カセッテがカセッテセット口より外側に外れてしまった場合には再度装填作業をやり直す必要がある。これにより、カセッテの画像読取装置への装填作業が煩雑となり、ある程度の熟練も必要とされ、さらに作業効率が低下してしまうことが懸念される。
【０００７】
また、このような画像読取装置において、カセッテを装填する操作者が視認可能な表示パネルがフレームの上面に設けられているものがある。この表示パネルには、例えば、カセッテの蓄積性蛍光体シートに記録された患者情報等が表示される。しかしながら、この場合、表示部とカセッテセット口とがそれぞれフレームの上面に設けられているため、操作者がカセッテをカセッテセット口へと装填する際に、該カセッテを誤って表示パネルに接触させてしまう可能性がある。
【０００８】
本発明は、前記の課題に考慮してなされたものであり、カセッテをカセッテ装填部に対して装填する際に、表示部を該カセッテから保護すると共に、前記カセッテを迅速且つ確実に装填することを可能とし、作業効率の向上を図ることが可能な画像読取装置を提供することを目的とする。
【課題を解決するための手段】
【０００９】
前記の目的を達成するために、本発明は、装置本体の上面に形成され、放射線画像情報が記録された放射線画像記録担体を収容可能なカセッテが装填されるカセッテ装填部と、
前記カセッテ装填部の周辺に設けられる表示部と、
前記カセッテ装填部と前記表示部との間に設けられ、前記装置本体の上面に対して突出して形成される突出部と、
を備えることを特徴とする。
【００１０】
本発明によれば、装置本体の上面においてカセッテ装填部の周辺に突出部を設けることにより、前記カセッテ装填部にカセッテを装填する際に、前記カセッテが誤って表示部側に変位した場合に前記突出部によって該カセッテが表示部に接触することを防止することができると共に、前記突出部によってカセッテが、本来の装填方向である略鉛直方向へとガイドされる。
【００１１】
従って、カセッテがカセッテ装填部に対して若干ずれた場合においても、該カセッテ装填部へと確実に装填することが可能となり、換言すれば、前記カセッテが誤って表示部側に変位してしまうことを防止することができ、前記表示部をカセッテから保護することができる。しかも、前記突出部によってカセッテをガイドさせてカセッテ装填部へと装填することができるため、画像読取装置にカセッテを装填する際の作業効率を向上させることができ、該カセッテの装填作業の迅速化を図ることができる。
【００１２】
また、表示部には、前記装置本体の上面に形成された装着孔の内部に設けられるディスプレイと、
前記ディスプレイの上方に配設される保護プレートと、
を備えるとよい。
【００１３】
これにより、例えば、カセッテをカセッテ装填部へと装填する際、何らかの原因によってカセッテが表示部に接触した場合においても、ディスプレイの上方に該ディスプレイを保護するための保護プレートが設けられているため、前記カセッテが前記ディスプレイに対して直接接触することが防止される。そのため、万が一、カセッテが表示部に接触した場合に、その衝撃がディスプレイに伝達されることを阻止することが可能となる。
【００１４】
さらに、表示部では、ディスプレイと保護プレートとの間に弾性部材を設けることにより、カセッテによりカセッテ装填部に装填する際に誤って保護プレートに付与された衝撃が、前記ディスプレイと保護プレートとの間に設けられた弾性部材によって好適に緩衝される。
【発明の効果】
【００１５】
本発明によれば、以下の効果が得られる。
【００１６】
すなわち、装置本体の上面においてカセッテ装填部の周辺に突出部を設けることにより、前記カセッテ装填部にカセッテを装填する際に、前記突出部によって前記カセッテが誤って表示部側に変位して該カセッテが表示部に接触することを防止することができると共に、前記突出部によって本来のカセッテ装填方向である略鉛直方向へとガイドされるため、突出部によってカセッテをカセッテ装填部へと確実且つ迅速に装填することができ、画像読取装置にカセッテを装填する際の作業効率を向上させることが可能となる。
【発明を実施するための最良の形態】
【００１７】
本発明に係る画像読取装置について好適な実施の形態を挙げ、添付の図面を参照しながら以下詳細に説明する。
【００１８】
図１において、参照符号１０は、本発明の実施の形態に係る画像読取装置を示す。
【００１９】
この画像読取装置１０は、図１に示されるように、ケーシング（装置本体）１２の上部にカセッテ装填口（カセッテ装填部）１４を備え、該カセッテ装填口１４に対して、放射線画像情報が蓄積記録された蓄積性蛍光体シート（放射線画像記録担体）１６を収容したカセッテ１８が装填される。なお、ケーシング１２の底部には、画像読取装置１０を床面等に設置するための複数の脚部１２ａが設けられている。
【００２０】
前記画像読取装置１０の上面部２０には、カセッテ装填口１４の側方に該画像読取装置１０の起動を行うための電源ボタン２２と、前記電源ボタン２２の近傍の第１表示部２４と、患者情報、撮影サイズ表示及び選択、ユーティリティ操作等を表示する第２表示部２６と、前記第１及び第２表示部２４、２６と前記カセッテ装填口１４との間に形成される突出部２８とが配設される。なお、電源ボタン２２、第１及び第２表示部２４、２６は、前記突出部２８を挟んでカセッテ装填口１４の側方に設けられている。
【００２１】
この画像読取装置１０の上面部２０は、該画像読取装置１０に対してカセッテ１８を装填する技師等の操作者が立つ前面３０側に向かって所定角度傾斜するように形成されている（図３参照）。これにより、操作者がカセッテ１８を装填する際の取り扱いを容易としている。そして、前記上面部２０に形成されるカセッテ装填口１４は、ケーシング１２の幅方向に延在するように設けられている。
【００２２】
第１表示部２４は、画像読取装置１０の上面部２０に略楕円形状に開口した第１装着孔３２の内部に装着され、図４に示されるように、文字、数字等が表示可能な第１ディスプレイ３４と、前記第１ディスプレイ３４を覆うように設けられる第１保護プレート３６と、前記第１ディスプレイ３４と第１保護プレート３６との間に介装される第１保持部材（弾性部材）３８とからなる。なお、本実施の形態では、上述のように、第１ディスプレイ３４と第１保護プレート３６との間に第１保持部材３８を介装しているが、特に、この第１保持部材３８を介装しなくてもよいことは勿論である。
【００２３】
第１ディスプレイ３４は、例えば、複数の発光ダイオード（ＬＥＤ）が等間隔に配設されたＬＥＤディスプレイからなり、画像読取装置１０が起動している際に、該画像読取装置１０の動作状況やステータス（例えば、読み取り処理中、あるいは、処理完了等）が表示される。
【００２４】
そして、前記第１ディスプレイ３４は、第１基板４０に電気的に接続されると共に、該第１基板４０を介して図示しないコントローラ等に接続されている。
【００２５】
図２に示されるように、第１表示部２４と突出部２８との間には、上面部２０より所定高さだけ突出した凸部４２が設けられている。前記凸部４２は、突出部２８に向かって膨らむように円弧状に形成されている。また、凸部４２は、突出部２８に形成された切欠溝５５（後述する）の軸線と略一直線状となるように設けられている。
【００２６】
第２表示部２６は、図４に示されるように、第１装着孔３２に近接して設けられた略矩形状の第２装着孔４４に装着され、この第２表示部２６は、図４に示されるように、第２装着孔４４の内部に設けられる第２ディスプレイ４６と、該第２ディスプレイ４６を覆うように第２装着孔４４に設けられる第２保護プレート４８と、前記第２ディスプレイ４６と第２保護プレート４８との間に設けられる第２保持部材（弾性部材）５０とからなる。なお、本実施の形態では、上述のように、第２ディスプレイ４６と第２保護プレート４８との間に第２保持部材５０を介装しているが、特に、この第２保持部材５０を介装しなくてもよいことは勿論である。
【００２７】
第２ディスプレイ４６は、例えば、文字、数字等が表示可能な液晶（ＬＣＤ）シートからなり、前記第２ディスプレイ４６が、画像読取装置１０の内部において第２装着孔４４の端部に固定された第２基板５１に装着され、該第２基板５１を介して図示しないコントローラ等に接続されている。
【００２８】
第１及び第２保護プレート３６、４８は、第１及び第２ディスプレイ３４、４６が画像読取装置１０の外部より視認可能な透明状の樹脂製材料（例えば、アクリル、ポリカーボネート等）から形成されている。この場合、前記第１及び第２保護プレート３６、４８は、外部から何らかの衝撃等が付与された場合にその衝撃等に耐え得る厚さに設定されている。
【００２９】
第１及び第２保持部材３８、５０は、それぞれ第１及び第２装着孔３２、４４の内壁面に沿って環状に設けられている。前記第１及び第２保持部材３８、５０は、例えば、ゴムやスポンジ等の弾性部材から形成され、前記第１及び第２保護プレート３６、４８に付与される衝撃等を緩衝する機能を有している。そのため、画像読取装置１０の外部から第１又は第２表示部２４、２６に付与された衝撃等は、第１又は第２保持部材３８、５０によって好適に吸収されて第１及び第２ディスプレイ３４、４６へと当該衝撃等が伝達されることは阻止される。
【００３０】
また、画像読取装置１０の第１表示部２４と第２表示部２６との間には、図２に示されるように、複数（例えば、４個）の操作ボタン５２が所定間隔離間して設けられている。この操作ボタン５２によって第２表示部２６に表示される患者情報の入力、変更、撮影サイズ表示及びモード選択、ユーティリティ操作等の操作を行うことができる。
【００３１】
突出部２８は、図２及び図３に示されるように、上面部２０における第２表示部２６の中程より所定高さだけ断面略円弧状に突出するように形成されている。この突出部２８は、図２及び図４に示されるように、湾曲した膨出部を形成し、上面部２０の下端側へと下降して終端するように形成されている。なお、前記突出部２８のカセッテ装填口１４側の側面は、後述するように、鉛直なガイド面５４として形成されている。
【００３２】
また、突出部２８は、カセッテ装填口１４の延在方向と略直交するように形成され、（図２及び図３参照）。前記突出部２８の一端部は、画像読取装置１０の前面３０側に向かって所定角度傾斜した上面部２０と前面３０との境界部位に位置すると共に、他端部が第２表示部２６の側方となるように設けられている。
【００３３】
なお、断面略円弧状に膨出して形成される突出部２８は、第１表示部２４の側方にあたる一端部側が、画像読取装置１０の上面部２０に対して最も高く突出するように形成され、第２表示部２６の側方にあたる他端部側に向かって徐々にその高さが低くなるように形成されている（図３参照）。
【００３４】
さらに、突出部２８には、図２及び図５に示されるように、カセッテ装填口１４側に略鉛直なガイド面５４が形成され、前記ガイド面５４が、該カセッテ装填口１４における突出部２８側の端面と略同一平面となる。これにより、操作者がカセッテ装填口１４に対してカセッテ１８を装填する際に、該カセッテ１８の側面がガイド面５４に当接することにより、前記カセッテ１８が突出部２８によるガイド作用下にカセッテ装填口１４へと確実且つ迅速に装填することが可能である。
【００３５】
また、操作者がカセッテ装填口１４へとカセッテ１８を装填する際、該カセッテ１８を画像読取装置１０の前面３０側から装填するため、突出部２８の上面部２０からの高さを、画像読取装置１０の前面３０側を最も高く形成しておくことにより、一層効果的にカセッテ１８のカセッテ装填口１４へのガイド効果が得られる。
【００３６】
さらに、突出部２８には、凸部４２及び第１表示部２４と対向する位置に該凸部４２及び第１表示部２４から突出部２８に向かって所定深さだけ窪んだ切欠溝５５が形成されている。この切欠溝５５は、断面略円弧状に切り欠き形成され、第１表示部２４側からガイド面５４側に向かってその深さが徐々に浅くなり、且つ、幅方向の寸法が小さくなるように形成されている。すなわち、画像読取装置１０の前方に立っている操作者（図示せず）が、第１表示部２４を視認する際に切欠溝５５が設けられているため突出部２８によってその視界が妨げられることがなく、前記操作者が切欠溝５５を介して第１表示部２４を確実に視認することができる。
【００３７】
この場合、ケーシング１２の上面部２０に形成された凸部４２と合わせて、切欠溝５５は、カセッテ装填口１４に向かって一直線状に形成されると共に、その幅方向の寸法が徐々に小さくなるように形成している。これにより、切欠溝５５及び凸部４２は、カセッテ１８を装填する操作者に対してカセッテ装填口１４の位置を指し示す機能を兼ね備えている。
【００３８】
一方、画像読取装置１０の内部には、図６に示されるように、カセッテ装填口１４の近傍に、蓋部材５６が開蓋されたカセッテ１８から蓄積性蛍光体シート１６を吸着して取り出す吸着盤５８と、前記吸着盤５８によって取り出された蓄積性蛍光体シート１６を挟持搬送するニップローラ６０とが配設される。そして、前記ニップローラ６０に連設して、複数の搬送ローラ６２ａ〜６２ｈ及び複数のガイド板６４ａ〜６４ｉを有する湾曲した搬送機構６６が配設される。前記搬送機構６６は、カセッテ１８から供給された蓄積性蛍光体シート１６を所望の部位に搬送する。
【００３９】
前記画像読取装置１０の略中央部には、励起光であるレーザビームＬを導出して蓄積性蛍光体シート１６を走査する走査ユニット６８が配設される。走査ユニット６８には、レーザビームＬを出力するレーザ発振器７０と、前記レーザビームＬを偏向走査する回転多面鏡であるポリゴンミラー７２と、前記レーザビームＬを反射させて蓄積性蛍光体シート１６に導く反射ミラー７４とが配設される。
【００４０】
前記走査ユニット６８から射出されたレーザビームＬは、搬送機構６６を構成する搬送ローラ６２ｄ、６２ｅ間より蓄積性蛍光体シート１６に照射される。なお、図示はしていないが、レーザビームＬを蓄積性蛍光体シート１６に集光させるための集光光学系も配設されていることは勿論である。
【００４１】
次に、前記走査ユニット６８に近接して読取ユニット７６が配設される。読取ユニット７６は、一端部が搬送ローラ６２ｄ、６２ｅ間の蓄積性蛍光体シート１６に近接して配置される集光ガイド７８と、集光ガイド７８の他端部に連結され、蓄積性蛍光体シート１６から得られた輝尽発光光を電気信号に変換するフォトマルチプライヤ８０とから構成される。なお、本実施形態では、フォトマルチプライヤ８０を、蓄積性蛍光体シート１６の搬送方向と直交する方向に長尺な形態のものとしているが、他の形態のものであってもよい。
【００４２】
ニップローラ６０と搬送機構６６を構成する搬送ローラ６２ａとの間には、放射線画像情報の読み取られた蓄積性蛍光体シート１６に残存する放射線エネルギを除去する消去ユニット８２が配設される。消去ユニット８２は、ハロゲンランプ等からなる複数の消去光源８４を有する。
【００４３】
本発明の実施の形態に係る画像読取装置１０は、基本的には以上のように構成されるものであり、次にその動作並びに作用効果について説明する。
【００４４】
先ず、放射線画像情報の記録された蓄積性蛍光体シート１６を収容したカセッテ１８を技師等の操作者（図示せず）が把持し、前記カセッテ１８の蓋部材５６側を下方向とした状態で画像読取装置１０のカセッテ装填口１４に装填する（図１及び図３参照）。
【００４５】
その際、例えば、前記操作者が誤って前記カセッテ１８をカセッテ装填口１４に対して所定角度傾斜させて挿入してしまう場合が想定される。
【００４６】
このような場合において、前記カセッテ装填口に対して所定角度傾斜したカセッテは、その側面が突出部２８のガイド面５４に接触することにより、略鉛直に形成されたガイド面５４にガイドされる。これにより、カセッテ１８が、ガイド面５４を介して該カセッテ１８の本来の所望の挿入方向であるカセッテ装填口１４に対して略直交するように挿入角度が調整される。
【００４７】
また、カセッテ１８をカセッテ装填口１４へと挿入する際に、操作者が誤って前記カセッテ１８をカセッテ装填口１４に対して若干ずれた（外れた）位置に挿入しようとしてしまう場合が想定される。このような場合においても、前記操作者が予めカセッテ１８を挿入する際に、該カセッテ１８を突出部２８のガイド面５４に対してその側面を当接させるように挿入することにより、カセッテ１８の側面を略鉛直に形成されたガイド面５４によってガイドすることができる。
【００４８】
そのため、カセッテ装填口１４の端面と略同一平面に形成されたガイド面５４によるガイド作用下にカセッテ１８が所望のカセッテ装填口１４へと確実にガイドされ、該カセッテ装填口１４に装填することができる。
【００４９】
このように、カセッテ装填口１４の側部に、該カセッテ装填口１４の端面と略同一平面となるガイド面５４を有する突出部２８を設け、前記カセッテ装填口１４にカセッテ１８を装填する際に、前記カセッテ１８を前記ガイド面５４によるガイド作用下にカセッテ装填口１４へと装填することができる。
【００５０】
これにより、カセッテ１８のカセッテ装填口１４に対する挿入方向、角度等が、若干ずれてしまった場合においても、突出部２８のガイド面５４によって好適にカセッテ１８の挿入方向が、本来の挿入方向へである略鉛直方向へと修正される。このため、前記カセッテ１８をガイド面５４と略同一平面となる端面を有するカセッテ装填口１４に確実に装填することができる。
【００５１】
また、これに伴って、カセッテ１８がカセッテ装填口１４に対して若干ずれた場合においても、該カセッテ装填口１４へと確実に装填することが可能となるため、操作者（図示せず）がカセッテ１８を装填する際の作業効率を向上させることができると共に、該カセッテ１８の装填作業の迅速化を図ることができる。
【００５２】
さらに、図示しない操作者がカセッテ１８をカセッテ装填口１４へと装填する際に、画像読取装置１０の上面部２０から突出した突出部２８によって前記カセッテ１８が誤って第１及び第２表示部２４、２６側に変位してしまうことを防止することができる。これにより、カセッテ１８が第１及び第２表示部２４、２６と接触することを防止することができる。
【００５３】
さらにまた、何らかの原因によってカセッテ１８が第１及び第２表示部２４、２６に接触した場合においても、第１及び第２ディスプレイ３４、４６を保護するための第１及び第２保護プレート３６、４８が設けられているため、カセッテ１８が前記第１又は第２ディスプレイ３４、４６に対して直接的に接触することが防止される。さらに、第１及び第２ディスプレイ３４、４６と第１及び第２保護プレート３６、４８との間には、弾性部材からなる第１及び第２保持部材３８、５０がそれぞれ介装されているため、前記第１又は第２保護プレート３６、４８に接触したカセッテ１８から付与される衝撃が好適に吸収される。これにより、カセッテ１８からの衝撃が、第１又は第２ディスプレイ３４、４６へと伝達されることを阻止することができる。
【００５４】
次に、このように画像読取装置１０のカセッテ装填口１４に装填されたカセッテ１８における放射線画像情報の読取動作及び残存する放射線画像情報の消去動作について説明する。
【００５５】
図６に示されるように、カセッテ装填口１４にカセッテ１８が装填されると、図示しない開蓋機構が駆動され、画像読取装置１０内において蓋部材５６が開蓋される。
【００５６】
次いで、吸着盤５８がカセッテ１８内の蓄積性蛍光体シート１６を吸着枚葉し、ニップローラ６０に供給する。ニップローラ６０は、蓄積性蛍光体シート１６を搬送機構６６に供給する。搬送機構６６は、搬送ローラ６２ａ〜６２ｈを駆動し、蓄積性蛍光体シート１６をガイド板６４ａ〜６４ｉに沿って搬送する。
【００５７】
蓄積性蛍光体シート１６は、搬送ローラ６２ｄ、６２ｅ間で副走査搬送されると共に、走査ユニット６８から射出された励起光であるレーザビームＬが副走査方向と直交する主走査方向に蓄積性蛍光体シート１６を走査する。すなわち、レーザ発振器７０から出力されたレーザビームＬは、高速で回転するポリゴンミラー７２によって反射偏向された後、反射ミラー７４を介して蓄積性蛍光体シート１６に導かれる。
【００５８】
レーザビームＬが照射された蓄積性蛍光体シート１６は、蓄積記録されている放射線画像情報に応じた輝尽発光光を出力する。この輝尽発光光は、蓄積性蛍光体シート１６の主走査方向に沿って近接配置された集光ガイド７８を介して読取ユニット７６を構成するフォトマルチプライヤ８０に導かれる。
【００５９】
このようにして放射線画像情報の読み取られた蓄積性蛍光体シート１６は、搬送ローラ６２ｈ側まで搬送された後、搬送機構６６により逆転搬送され、ニップローラ６０及び搬送ローラ６２ａ間に配置される消去ユニット８２を介してカセッテ１８に収容される。このとき、消去ユニット８２を構成する消去光源８４が点灯し、出力される消去光が蓄積性蛍光体シート１６に照射されることで、残存する放射線エネルギが除去される。放射線エネルギの除去された蓄積性蛍光体シート１６を収容したカセッテ１８は、画像読取装置１０から抜き取られた後、次なる放射線画像情報の撮影に供される。
【図面の簡単な説明】
【００６０】
【図１】本発明の実施の形態に係る画像読取装置の斜視図である。
【図２】図１の第１及び第２表示部近傍の拡大斜視図である。
【図３】図１の画像読取装置にカセッテが装填された状態を示す側面図である。
【図４】図１の画像読取装置の第１及び第２表示部近傍を示す拡大縦断面図である。
【図５】図１のＶ−Ｖ線に沿った縦断面図である。
【図６】図１の画像読取装置の内部構造を示す縦断面図である。
【符号の説明】
【００６１】
１０…画像読取装置                  １４…カセッテ装填口
１６…蓄積性蛍光体シート            １８…カセッテ
２０…上面部                        ２２…電源ボタン
２４…第１表示部                    ２６…第２表示部
２８…突出部                        ３４…第１ディスプレイ
３６…第１保護プレート              ３８…第１保持部材
４２…凸部                          ４６…第２ディスプレイ
４８…第２保護プレート              ５０…第２保持部材
５４…ガイド面                      ５６…蓋部材
５８…吸着盤                        ６２ａ〜６２ｈ…搬送ローラ
６４ａ〜６４ｉ…ガイド板            ６６…搬送機構
６８…走査ユニット                  ７０…レーザ発振器
７６…読取ユニット                  ８２…消去ユニット
【図１】
2005250281.tif 000003
【図２】
2005250281.tif 000004
【図３】
2005250281.tif 000005
【図４】
2005250281.tif 000006
【図５】
2005250281.tif 000007
【図６】
2005250281.tif 000008